(57)【要約】【課題】シールリングを抜け止めするフロント部材を多機能化することが可能なコネクタを提供する。【解決手段】相手側ハウジング６０のロック部６４に係止可能なロックアーム１５が弾性変位可能な形態で設けられたハウジング１０と、前記ハウジング１０と前記相手側ハウジング６０との間に挟まれてこの間をシールするシールリング３０と、前記ハウジング１０の前部に取り付けられて前記シールリング３０を抜け止めするとともに、前記ロックアーム１５の過度撓みを規制する過度撓み規制部４９を有するフロント部材４０と、を備えている。【選択図】図９
2016219235.tif 000002
【特許請求の範囲】
【請求項１】
相手側ハウジングのロック部に係止可能なロックアームが弾性変位可能な形態で設けられたハウジングと、
前記ハウジングと前記相手側ハウジングとの間に挟まれてこの間をシールするシールリングと、
前記ハウジングの前部に取り付けられて前記シールリングを抜け止めするとともに、前記ロックアームの過度撓みを規制する過度撓み規制部を有するフロント部材と、
を備えているコネクタ。
【請求項２】
前記フロント部材が、前記相手側ハウジングが誤った向き、または誤った組み合わせで嵌合されることを防ぐ誤嵌合防止部を備えている請求項１に記載のコネクタ。
【請求項３】
前記フロント部材が、前記シールリングの前端部に被さるめくれ防止部を備えている請求項１または請求項２に記載のコネクタ。
【請求項４】
前記ハウジングが、筒状をなして前方に開口する筒状部を有し、
前記シールリングが、前記筒状部の内側に装着され、
前記フロント部材が、内側に前記相手側ハウジングが嵌合可能な筒状をなして前記筒状部の前部に取り付けられている請求項１ないし請求項３のいずれか一項に記載のコネクタ。
【発明の詳細な説明】
【技術分野】
【０００１】
本発明は、コネクタに関する。
【背景技術】
【０００２】
従来、正規嵌合した一対のハウジングの間に挟まれて、両ハウジング間をシールするシールリングを備えたコネクタが知られている。例えば下記特許文献１に記載されたコネクタにおいては、一対のハウジングのうち一方のハウジングの端子収容部の外周面にシールリングが嵌着されている。シールリングは、端子収容部の前端部に装着されたフロント部材によって抜け止めされている。
【先行技術文献】
【特許文献】
【０００３】
【特許文献１】特許第５５７３７１８号公報
【発明の概要】
【発明が解決しようとする課題】
【０００４】
しかしながら、例えばハウジング本体の構造を簡素化するべく、フロント部材に他の機能を付加して多機能化したいという要望があった。
【０００５】
本発明は上記のような事情に基づいて完成されたものであって、シールリングを抜け止めするフロント部材を多機能化することが可能なコネクタを提供することを目的とする。
【課題を解決するための手段】
【０００６】
本発明のコネクタは、相手側ハウジングのロック部に係止可能なロックアームが弾性変位可能な形態で設けられたハウジングと、前記ハウジングと前記相手側ハウジングとの間に挟まれてこの間をシールするシールリングと、前記ハウジングの前部に取り付けられて前記シールリングを抜け止めするとともに、前記ロックアームの過度撓みを規制する過度撓み規制部を有するフロント部材と、を備えている。
【発明の効果】
【０００７】
本発明によれば、フロント部材がシールリングの抜け止め機能のみならずロックアームの過度撓みを規制する機能を備えているから、シールリングを抜け止めするフロント部材を多機能化することができる。
【図面の簡単な説明】
【０００８】
【図１】本実施例におけるコネクタであって、第１ハウジングと第２ハウジングとを嵌合する前の状態を表す断面図
【図２】第１ハウジングを表す斜視図
【図３】第１ハウジングを表す分解斜視図
【図４】第１ハウジングを表す正面図
【図５】第１ハウジングからフロント部材を取り外した状態を表す正面図
【図６】フロント部材を表す正面図
【図７】フロント部材を表す背面図
【図８】フロント部材を表す平面図
【図９】第１ハウジングと第２ハウジングとが正規嵌合した状態のコネクタを表す断面図
【図１０】第１ハウジングと第２ハウジングとが正規嵌合した状態のコネクタを表す背面図
【発明を実施するための形態】
【０００９】
本発明の好ましい形態を以下に示す。
本発明のコネクタは、前記フロント部材が、前記相手側ハウジングが誤った向き、または誤った組み合わせで嵌合されることを防ぐ誤嵌合防止部を備えているものとしてもよい。このような構成によれば、フロント部材が相手側ハウジングとの誤嵌合を防止する機能を備えているから、フロント部材をさらに多機能化することができる。
【００１０】
また、本発明のコネクタは、前記フロント部材が、前記シールリングの前端部に被さるめくれ防止部を備えているものとしてもよい。このような構成によれば、相手側ハウジングとの嵌合時のシールリングのめくれ上がりを防ぐことができる。
【００１１】
また、本発明のコネクタは、前記ハウジングが、筒状をなして前方に開口する筒状部を有し、前記シールリングが、前記筒状部の内側に装着され、前記フロント部材が、内側に前記相手側ハウジングが嵌合可能な筒状をなして前記筒状部の前部に取り付けられているものとしてもよい。
【００１２】
＜実施例＞
以下、本発明を具体化した一実施例について、図１〜図１０を参照しつつ詳細に説明する。
本実施例におけるコネクタＣは、正規嵌合した一対のハウジング１０，６０に密着して、両ハウジング１０，６０間をシールするシールリング３０を備えた防水コネクタである。一対のハウジング１０，６０のうち一方のハウジング（以後、第１ハウジング１０と称する）には、電線Ｗの端末部に接続された雄型の端子金具（以後、第１端子金具１１と称する）が収容され、他方のハウジング（以後、第２ハウジング６０と称する）には、電線Ｗの端末部に接続された雌型の端子金具（以後、第２端子金具６１と称する）が収容されている。以下、各構成部材において、両ハウジング１０，６０における嵌合面側をそれぞれ前方とし、また、図１の上側を上方、下側を下方として説明する。
【００１３】
第２ハウジング６０は合成樹脂製であって、全体として若干横長な略ブロック形状をなし、内部には、後方から第２端子金具６１を収容可能な第２端子収容室６２が上下２段に並んで設けられている（図１０参照）。各第２端子収容室６２の後端部は、電線Ｗの端末部に嵌着されたゴム栓Ｇが個別に密着可能な円筒形状をなす第２シールタワー部６３とされている。
【００１４】
第２端子金具６１は、金属板をプレス加工することで所定形状に形成されており、前端部が第１端子金具１１と接続可能な筒状をなし、後端部が電線Ｗの端末部に接続されている。また、第２端子金具６１の後端部には、例えば図１に示すように、第２端子収容室６２の後端部に密着して止水するゴム栓Ｇが嵌着されている。
【００１５】
第２ハウジング６０には、第１ハウジング１０に設けられたロックアーム１５が係止可能なロック部６４が設けられている。ロック部６４は、第２ハウジング６０の上面の幅方向（左右方向）における中央部に突設されている。ロック部６４の前面は、後方に向かって次第に突出寸法が増す傾斜面とされ、後面は前後方向に対して略直角方向に切り立った面とされている。
【００１６】
また、第２ハウジング６０には、第１ハウジング１０に設けられた誤嵌合防止溝５１に入り込み可能な誤嵌合防止リブ６５が設けられている。誤嵌合防止リブ６５は、第２ハウジング６０の前後方向における中間部（シールリング３０が密着する部位よりも後方の部位）に設けられている。誤嵌合防止リブ６５は、図１０に示すように、第１ハウジング１０の誤嵌合防止溝５１に対応して下面に一対が突設されている。誤嵌合防止リブ６５は、誤嵌合防止溝５１に整合する略方形断面を有している。
【００１７】
第１ハウジング１０は合成樹脂製であって、全体として若干横長な略ブロック形状をなして内部に第１端子金具１１が収容される端子収容部１２と、前方に開口する筒状をなして内側にシールリング３０が装着される筒状部１３と、を備えている。また、第１ハウジング１０の前部には、シールリング３０の抜け止め機能を有するフロント部材４０が取り付けられている。
【００１８】
端子収容部１２の内部には、後方から第１端子金具１１を収容可能な第１端子収容室１２Ｒが上下２段に並んで設けられている（図４参照）。各第１端子収容室１２Ｒの後端部は、電線Ｗの端末部に嵌着されたゴム栓Ｇが密着可能な略円筒形状をなす第１シールタワー部１４とされている（図１および図２参照）。
【００１９】
第１端子金具１１は、金属板をプレス加工することで所定形状に形成されており、前端部が第２端子金具６１の前端部に挿入される細長いタブ状をなし、後端部が電線Ｗの端末部に接続されている。第１端子金具１１の後端部には、第１端子収容室１２Ｒの後端部に密着して止水するゴム栓Ｇが嵌着されている。
【００２０】
第１ハウジング１０には、第２ハウジング（相手側ハウジング）６０のロック部６４に係止可能なロックアーム１５が弾性変位可能な形態で設けられている。ロックアーム１５は、図３に示すように、筒状部１３の上面における幅方向の中央部に設けられている。ロックアーム１５は、筒状部１３の前端から前方に片持ち状をなして延出し、全体として薄い板状をなし、上下方向に弾性変位可能とされている。
【００２１】
ロックアーム１５には、方形状をなして上下方向に開口する開口部１６が設けられている。そして、ロックアーム１５のうち開口部１６の前側の部分は、第２ハウジング６０のロック部６４と前後方向に係止するロック係止部１７とされている。ロック係止部１７は、開口部１６の左右に位置する一対のアーム部１８よりも一段上側に突出している。ロック係止部１７の上面は、前方から見ると、図４に示すように、左右両側の角部が丸い弓形状をなしている。
【００２２】
第１ハウジング１０には、図３に示すように、フロント部材４０を固定するための係止受け部１９が設けられている。係止受け部１９は、筒状部１３の上面側に設けられた第１係止受け部１９Ｆと、下面側に設けられた第２係止受け部１９Ｓとを備えている（図４および図５参照）。
【００２３】
第１係止受け部１９Ｆは、図２に示すように、筒状部１３の上面に突設された一対の突起である。第１係止受け部１９Ｆは、筒状部１３の前端部に設けられ、ロックアーム１５の左右両側に位置している。第１係止受け部１９Ｆの前面は後方に向かって次第に突出寸法が増す傾斜面とされ、後面は前後方向に対して略直角方向に切り立った面とされている。
【００２４】
第２係止受け部１９Ｓは、筒状部１３の幅方向における中央部に設けられ、筒状部１３から前方に突出する板部２１に穴部２２が形成されてなる。板部２１は方形状をなし、穴部２２は板部２１に比して一回り小さい方形状をなして上下方向に貫通している。
【００２５】
第１ハウジング１０には、後述する誤嵌合防止溝５１の一部を構成する溝端部２３が形成されている。溝端部２３は、図３に示すように、筒状部１３の前端部の内周面に凹み形成されるとともに前方に開放された形態をなしている。溝端部２３は、第２係止受け部１９Ｓの左右両側に一対が形成されている。
【００２６】
また、第１ハウジング１０の前端部には、フロント部材４０に設けられた嵌合凸部４５が嵌合可能な嵌合凹部２４が設けられている。嵌合凹部２４は、図３に示すように、筒状部１３の前端部に設けられ、略方形をなして後方へ切り欠かれた形態とされている。嵌合凹部２４は、筒状部１３の左右両側壁の上下方向における中央部に形成されている。
【００２７】
シールリング３０は、図１に示すように、筒状部１３の後端部に装着されている。シールリング３０は、第１ハウジング１０と第２ハウジング６０との正規嵌合時に、第２ハウジング６０と筒状部１３との間で弾性的に圧縮され、これによって両ハウジング１０，６０間を液密にシールするものである。
【００２８】
シールリング３０は、筒状部１３の内周面に沿う筒状をなしている。シールリング３０の内周面には、前後一対の内側リップ部３１が全周に延びて突設されている。また、シールリング３０の外周面は、内側リップ部３１に対応する部位が凹んだ溝状をなし、その間の前後方向における略中央部に外側リップ部３２が全周に延びて突設されている。シールリング３０の前後両端縁部３０Ｅは、筒状部１３の内周面に沿って配される。
【００２９】
フロント部材４０は合成樹脂製であって、全体として筒状部１３に整合した筒状をなし、その内側に第２ハウジング６０が嵌合可能とされている（図９参照）。フロント部材４０は、第１ハウジング１０の筒状部１３の内側に嵌合する内筒部４１と、筒状部１３の前側に連なる前筒部４２とを備えている（図２および図３参照）。
【００３０】
前筒部４２は、外形が筒状部１３の外形と略同形をなし、厚さ寸法が筒状部１３の厚さ寸法よりも大きくされている。内筒部４１は、厚さ寸法が前筒部４２の厚さ寸法よりも小さくされ、前筒部４２の内周面に沿って前筒部４２から後方に突出し、外周面が前筒部４２の外周面よりも一段内側に入っている。
【００３１】
前筒部４２は、周方向の一部が開放部４３によって開放された形態をなしている。開放部４３は、前筒部４２の上壁の左右方向における中央部に設けられている。開放部４３の幅寸法は、ロックアーム１５の幅寸法と同等の寸法とされている。なお、内筒部４１は、略全周が閉じた形態とされている。
【００３２】
開放部４３には、一対の張出部４４が開放部４３の一部を塞ぐようにして設けられている。一対の張出部４４は、前筒部４２の内周面に沿って開放部４３の両端から張り出している。一対の張出部４４の間には、第２ハウジング６０のロック部６４が入り込み可能な間隔があけられている。
【００３３】
フロント部材４０には、第１ハウジング１０の嵌合凹部２４に嵌合可能な嵌合凸部４５が設けられている。嵌合凸部４５は、嵌合凹部２４に対応してフロント部材４０の左右両側面に設けられている。嵌合凸部４５は、嵌合凹部２４に整合する方形状をなして前筒部４２の後面から後方に突出している。なお、嵌合凸部４５は、内筒部４１の外周面から外側に突出した形態をなしている。
【００３４】
また、フロント部材４０には、第１ハウジング１０の係止受け部１９に係止可能な係止部４６が設けられている（図１および図３参照）。係止部４６は、フロント部材４０の上面側に設けられた第１係止部４６Ｆと、下面側に設けられた第２係止部４６Ｓとを備えている。
【００３５】
第１係止部４６Ｆは、図３に示すように、第１係止受け部１９Ｆに対応してフロント部材４０に左右一対が設けられている。一対の第１係止部４６Ｆは、過度撓み規制部４９の左右両側に位置している。第１係止部４６Ｆは、前筒部４２の後端部から後方に片持ち状をなして延出し、上下方向に弾性撓み可能とされている。第１係止部４６Ｆは、後端部が閉じたＵ字形状をなして第１係止受け部１９Ｆに係止可能とされている。なお、第１係止部４６Ｆの後端は内筒部４１の後端と前後方向の位置が揃っている。
【００３６】
第２係止部４６Ｓは、第２係止受け部１９Ｓに対応してフロント部材４０の幅方向における中央部に設けられている（図７参照）。第２係止部４６Ｓは、前筒部４２の後端部の下面に一段凹んだ形状に形成された窪み部４７と、窪み部４７に突設された突起部４８とを有している。窪み部４７は、第２係止受け部１９Ｓの板部２１が嵌合可能な略方形状をなし、突起部４８は、第２係止受け部１９Ｓの穴部２２に嵌合可能な形状をなしている。突起部４８の前面は、図１に示すように、前後方向に対して略直角方向に切り立った面、後面は、前方に向かって次第に突出寸法が増す傾斜面とされている。
【００３７】
フロント部材４０には、ロックアーム１５の過度撓みを規制する過度撓み規制部４９が設けられている（図２参照）。過度撓み規制部４９は、前筒部４２の開放部４３に掛け渡された梁状をなしている。過度撓み規制部４９は、ロックアーム１５の係止部４６の上面に沿うようなアーチ形状をなしている。また、過度撓み規制部４９の下面には、ロックアーム１５がロック部６４を乗り越える際の弾性変位を許容するべく、前端に向かって上る逃がし傾斜面４９Ｓが形成されている（図１参照）。なお、過度撓み規制部４９は、開放部４３の後部に設けられている。
【００３８】
フロント部材４０には、第２ハウジング６０が誤った向き、または誤った組み合わせで嵌合されることを防ぐ誤嵌合防止溝（誤嵌合防止部）５１が設けられている。誤嵌合防止溝５１は、図１０に示すように、フロント部材４０の下壁に左右対称に一対が設けられている。誤嵌合防止溝５１は、フロント部材４０の内周面に凹み形成されるとともに前方に開放されている。誤嵌合防止溝５１は、誤嵌合防止リブ６５に整合する略方形をなし、フロント部材４０の前端から後方に向かって直線状に延びている。誤嵌合防止溝５１の後端は、図２に示すように、フロント部材４０の後端近傍に至っている。誤嵌合防止溝５１は、前筒部４２の全長にわたって形成されるとともに、内筒部４１においては一部（下面、後面および左右両側面の略半分）が開放された形態をなしている。誤嵌合防止溝５１の開放部分は、第１ハウジング１０の溝端部２３によって閉じられる（図３参照）。
【００３９】
各誤嵌合防止溝５１には、図４に示すように、がた詰め凸部５２が設けられている。がた詰め凸部５２は、誤嵌合防止溝５１の左右両側面および底面に突設されている。がた詰め凸部５２は、誤嵌合防止溝５１の略全長にわたって前後方向に延びている。
【００４０】
フロント部材４０には、シールリング３０の前端部に被さるめくれ防止部５３が備えられている（図１参照）。めくれ防止部５３は、内筒部４１の内周面に沿って後方に一段突出した形態をなし、その外周面側には、シールリング３０の前端縁部３０Ｅが嵌り込む段差凹部５４が形成されている。めくれ防止部５３は、フロント部材４０の後端部の全周にわたって設けられている。
【００４１】
次に、本実施例における第１ハウジング１０の組み付け作業の一例を説明する。
まず、第１ハウジング１０にシールリング３０を装着する。シールリング３０を筒状部１３の内側に挿入してその後端部に装着する。このとき、シールリング３０の後端縁部３０Ｅを筒状部１３の奥端面に当接させる。
【００４２】
次いで、第１ハウジング１０にフロント部材４０を取り付ける。フロント部材４０の内筒部４１を筒状部１３の内側に嵌め込むようにして、フロント部材４０を第１ハウジング１０に取り付ける。
【００４３】
すると、第１ハウジング１０のロックアーム１５は、内筒部４１の上面に沿って前進し、ロック係止部１７が張出部４４の上面に沿って過度撓み規制部４９の下方を通過してその前方に突出する（図２参照）。
【００４４】
また、フロント部材４０の第１係止部４６Ｆが第１ハウジング１０の第１係止受け部１９Ｆの傾斜面に当接して斜め上方に弾性変位し、第１係止受け部１９Ｆを乗り越えて弾性復帰する。これにより、第１係止部４６Ｆと第１係止受け部１９Ｆとが前後方向に係止する。
【００４５】
また、第１ハウジング１０の第２係止受け部１９Ｓは、内筒部４１の外周面に沿って前進し、板部２１が第２係止部４６Ｓの突起部４８の傾斜面に当接して斜め下方に弾性変位する。そして、第２係止受け部１９Ｓは突起部４８を乗り越え、図９に示すように、弾性復帰して第２係止受け部１９Ｓの穴部２２に第２係止部４６Ｓの突起部４８が嵌合し、第２係止受け部１９Ｓと第２係止部４６Ｓとが前後方向に係止する。
【００４６】
また、図２に示すように、フロント部材４０の嵌合凸部４５は第１ハウジング１０の嵌合凹部２４に嵌合し、フロント部材４０の前筒部４２の後端は第１ハウジング１０の前端に突き当たる。そして、第１ハウジング１０の溝端部２３はフロント部材４０の誤嵌合防止溝５１の後端部を塞いだ状態になる。
【００４７】
また、フロント部材４０の後端部がシールリング３０に当接し、またはシールリング３０を後方へ押圧した状態になる。そして、フロント部材４０の段差凹部５４にシールリング３０の前端縁部３０Ｅが嵌り込み、めくれ防止部５３がシールリング３０の前端縁部３０Ｅの内側に被さった状態になる。
【００４８】
こうして、フロント部材４０は第１ハウジング１０に取り付けられ、第１ハウジング１０の組み付け作業が完了する。この状態では、ロックアーム１５のアーム部１８の上側が過度撓み規制部４９によって覆われているから、ロックアーム１５の上方への過度撓みが規制される。また、ロックアーム１５の下面側に一対の張出部４４が沿った状態になっているから、ロックアーム１５の下方への変位（反転）が規制される。
【００４９】
次に、本実施例における第１ハウジング１０と第２ハウジング６０との嵌合作業の一例を説明する。
第１ハウジング１０のフロント部材４０に第２ハウジング６０を嵌め込むようにして嵌合する。ここで、第２ハウジング６０の上下方向の向きが逆向きであるとき、また第２ハウジング６０が第１ハウジング１０と異なる（第１ハウジング１０と対ではない）組み合わせであるときには、第２ハウジング６０の前端部が第１ハウジング１０のフロント部材４０に一部嵌った後に、第２ハウジング６０の誤嵌合防止リブ６５がフロント部材４０の誤嵌合防止溝５１に入ることなくフロント部材４０の前面に突き当たる。これにより、第１ハウジング１０と第２ハウジング６０とが誤った向き、または誤った組み合わせで嵌合することを防ぐことができる。
【００５０】
そして、第１ハウジング１０と第２ハウジング６０とが正しい向きおよび正しい組み合わせである場合には、第２ハウジング６０の誤嵌合防止リブ６５が第１ハウジング１０の誤嵌合防止溝５１に入り込んで両ハウジング１０，６０の嵌合が進む。
【００５１】
このとき、第２ハウジング６０がシールリング３０の外側リップ部３２を押圧するので、シールリング３０の前端縁部３０Ｅが内側にめくれようとする。しかしながら、シールリング３０の前端縁部３０Ｅにはめくれ防止部５３が被さっているから、そのようなめくれ上がりを防ぐことができる。
【００５２】
そして、ロックアーム１５のロック係止部１７がロック部６４の傾斜面に当接すると、ロックアーム１５が上方に弾性変位し、第１ハウジング１０と第２ハウジング６０とが正規の嵌合状態に至ると、ロック係止部１７がロック部６４を乗り越えてロックアーム１５が弾性復帰する。これにより、ロック係止部１７とロック部６４とが前後方向に係止した状態になり、第１ハウジング１０と第２ハウジング６０とが正規の嵌合状態に保持される。以上により、第１ハウジング１０と第２ハウジング６０との嵌合作業が完了する。
【００５３】
こうして、第１ハウジング１０と第２ハウジング６０とが正規の嵌合状態に至ったときには、第１端子金具１１と第２端子金具６１とが正規の接続状態になっている。また、誤嵌合防止リブ６５によって誤嵌合防止溝５１のがた詰め凸部５２が潰れ、第１ハウジング１０と第２ハウジング６０との間のがたつきが防止された状態になっている。
【００５４】
次に、上記のように構成された実施例の作用および効果について説明する。
本実施例のコネクタＣは、第２ハウジング６０のロック部６４に係止可能なロックアーム１５が弾性変位可能な形態で設けられた第１ハウジング１０と、第１ハウジング１０と第２ハウジング６０との間に挟まれてこの間をシールするシールリング３０と、第１ハウジング１０の前部に取り付けられてシールリング３０を抜け止めするとともに、ロックアーム１５の過度撓みを規制する過度撓み規制部４９を有するフロント部材４０と、を備えている。この構成によれば、フロント部材４０がシールリング３０の抜け止め機能のみならずロックアーム１５の過度撓みを規制する機能を備えているから、シールリング３０を抜け止めするフロント部材４０を多機能化することができる。
【００５５】
また、フロント部材４０が、第２ハウジング６０が誤った向き、または誤った組み合わせで嵌合されることを防ぐ誤嵌合防止溝５１を備えている。この構成によれば、フロント部材４０が第２ハウジング６０との誤嵌合を防止する機能を備えているから、フロント部材４０をさらに多機能化することができる。
【００５６】
また、フロント部材４０が、シールリング３０の前端部に被さるめくれ防止部５３を備えている。この構成によれば、第２ハウジング６０との嵌合時のシールリング３０のめくれ上がりを防ぐことができる。
【００５７】
＜他の実施例＞
本発明は上記記述及び図面によって説明した実施例に限定されるものではなく、例えば次のような実施例も本発明の技術的範囲に含まれる。
（１）上記実施例では、フロント部材４０に誤嵌合防止溝５１が設けられているが、必ずしもフロント部材に誤嵌合防止部を設けなくてもよい。
（２）上記実施例では、フロント部材４０に誤嵌合防止溝５１が設けられているが、これに限らず、フロント部材に誤嵌合防止リブを設け、相手側ハウジングの誤嵌合防止溝を設けてもよい。
（３）上記実施例では、ロックアーム１５が片持ち状をなしているが、これに限らず、ロックアームは弾性変位可能な形態であればよく、例えばロックアームは、前後方向の中央部が固定されてシーソー状に傾動するもの等であってもよい。
（４）上記実施例では、フロント部材４０がめくれ防止部５３を備えているが、これに限らず、フロント部材にめくれ防止部を設けなくてもよく、例えばフロント部材によってシールリングを後方に押し付けることによってめくれ上がりを防ぐ等してもよい。
（５）上記実施例では、フロント部材４０を第１ハウジング１０に固定するための係止構造を例示したが、この係止構造は、フロント部材を第１ハウジングに固定可能であればどのような構造であってもよく、任意に変更することができる。
【符号の説明】
【００５８】
Ｃ…コネクタ
１０…第１ハウジング（ハウジング）
１３…筒状部
１５…ロックアーム
３０…シールリング
４０…フロント部材
４９…過度撓み規制部
５１…誤嵌合防止溝（誤嵌合防止部）
５３…めくれ防止部
６０…第２ハウジング（相手側ハウジング）
６４…ロック部
【図１】
2016219235.tif 000003
【図２】
2016219235.tif 000004
【図３】
2016219235.tif 000005
【図４】
2016219235.tif 000006
【図５】
2016219235.tif 000007
【図６】
2016219235.tif 000008
【図７】
2016219235.tif 000009
【図８】
2016219235.tif 000010
【図９】
2016219235.tif 000011
【図１０】
2016219235.tif 000012